(57)【要約】【課題】  広角端状態において広画角、あるいは大口径化が可能な固体撮像素子に好適な高性能な広角ズームレンズを提供すること。【解決手段】  物体側から順に、負の屈折力を有する第１レンズ群Ｇ１と、正の屈折力を有する第２レンズ群Ｇ２とを有し、前記第1レンズ群Ｇ１は、物体側から順に、物体側に凸面を向けた負メニスカスレンズＬ１１と、負レンズＬ１２と、物体側面が物体側に凸形状の正レンズＬ１３とを有し、前記第２レンズ群Ｇ２は、物体側より順に、正レンズＬ２１と、負レンズＬ２２とを有し、前記第１レンズ群Ｇ１の前記負メニスカスレンズＬ１１の少なくとも一方の面を非球面で構成し、前記第1レンズ群Ｇ１と前記第２レンズ群Ｇ２との間隔を変化させることによって焦点距離を変化させ、所定の条件を満足する広角ズームレンズ。【選択図】  図１
2006113554.tif 000002
【特許請求の範囲】
【請求項１】
物体側から順に、負の屈折力を有する第１レンズ群と、正の屈折力を有する第２レンズ群とを有し、前記第1レンズ群は、物体側から順に、物体側に凸面を向けた負メニスカスレンズと、負レンズと、物体側に凸面を向けた正レンズとを有し、前記第２レンズ群は、物体側より順に、正レンズと、負レンズとを有し、前記第１レンズ群の前記負メニスカスレンズの少なくとも一方の面を非球面で構成し、前記第1レンズ群と前記第２レンズ群との間隔を変化させることによって焦点距離を変化させ、前記第１レンズ群の前記負レンズは、以下の条件を満足することを特徴とする広角ズームレンズ。
67＜ν12
2.05＜n12＋0.007×ν12
但し、
ν12：前記第1レンズ群の前記負レンズのd線(波長λ=587.6nm)におけるアッベ数、
n12：前記第１レンズ群の前記負レンズのd線(波長λ=587.6nm)における屈折率、
である。
【請求項２】
前記第1レンズ群の前記負メニスカスレンズは、以下の条件を満足することを特徴とする請求項１に記載の広角ズームレンズ。
1.69＜n11＜1.83
2.29＜n11＋0.012×ν11＜2.39
但し、
n11：前記第１レンズ群の前記負メニスカスレンズのd線(波長λ=587.6nm)における屈折率、
ν11：前記第１レンズ群の前記負メニスカスレンズのd線(波長λ=587.6nm)におけるアッベ数、
である。
【請求項３】
前記第２レンズ群の像側に正の屈折力を有する第３レンズ群を備え、前記第３レンズ群を光軸に沿って移動させることによって合焦を行い、以下の条件を満足することを特徴とする請求項１または２に記載の広角ズームレンズ。
-1.3＜f2/f1＜-0.9
1.5＜f3/f2＜2.5
0.3＜D23W/f2＜0.6
但し、
f1：前記第1レンズ群の焦点距離、
f2：前記第２レンズ群の焦点距離、
f3：前記第３レンズ群の焦点距離、
D23W：前記第２レンズ群と前記３レンズ群の広角端状態における空気間隔、
である。
【請求項４】
以下の条件式を満足することを特徴とする請求項1から３のいずれか1項に記載の広角ズームレンズ。
28＜ν13＜35
1.79＜n13
但し、
ν13：前記第１レンズ群の前記正レンズのd線(波長λ=587.6nm)におけるアッベ数、
n13：前記第１レンズ群の前記正レンズのd線(波長λ=587.6nm)における屈折率、
である。
【請求項５】
以下の条件を満足することを特徴とする請求項1から４のいずれか１項に記載の広角ズームレンズ。
0.3＜f1/r12a＜1
但し、
r12a：前記第１レンズ群の前記負レンズの物体側面の曲率半径、
である。
【請求項６】
前記第２レンズ群は、物体側から順に、最も物体側に配置された前記正レンズと、前記負レンズと、最も像側に配置された正レンズとを有し、前記最も物体側に配置された前記正レンズの少なくとも一方の面を非球面で構成し、以下の条件を満足することを特徴とする請求項1から５のいずれか１項に記載の広角ズームレンズ。
67＜ν25
2.05＜n25＋0.007×ν25
但し、
ν25：前記最も像側に配置された前記正レンズのd線(波長λ=587.6nm)におけるアッベ数、
n25：前記最も像側に配置された前記正レンズのd線(波長λ=587.6nm)における屈折率、
である。
【請求項７】
以下の条件式を満足することを特徴とする請求項６に記載の広角ズームレンズ。
28＜ν23＜42
1.75＜n23
但し、
ν23：前記第２レンズ群の前記負レンズのd線(波長λ=587.6nm)におけるアッベ数、
n23：前記第２レンズ群の前記負レンズのd線(波長λ=587.6nm)における屈折率、
である。
【請求項８】
物体側から順に、負の屈折力を有する第1レンズ群と、正の屈折力を有する第２レンズ群と、正の屈折力を有する第３レンズ群とを有し、前記第1レンズ群は、物体側から順に、物体側に凸面を向けた負メニスカスレンズと、負レンズと、物体側に凸面を向けた正レンズとを有し、前記第２レンズ群は、物体側から順に、最も物体側に配置された正レンズと、正レンズと負レンズを接合した接合レンズ成分と、最も像側に配置された正レンズとを有し、前記第１レンズ群の前記負メニスカスレンズの少なくとも一方の面と、前記第２レンズ群の前記最も物体側に配置された前記正レンズの少なくとも一方の面とを非球面で構成し、前記第1レンズ群と前記第２レンズ群の間隔を変化させることによって焦点距離を変化させ、前記第３レンズ群を光軸に沿って移動させることによって合焦を行い、以下の条件を満足することを特徴とする広角ズームレンズ。
1.69＜n11＜1.83
67＜ν12
2.05＜n12＋0.007×ν12
67＜ν25
2.05＜n25＋0.007×ν25
但し、
n11：前記第１レンズ群の前記負メニスカスレンズのd線(波長λ=587.6nm)における屈折率、
ν12：前記第１レンズ群の前記負レンズのd線(波長λ=587.6nm)におけるアッベ数、
n25：前記第２レンズ群の最も像側に配置された前記正レンズのd線(波長λ=587.6nm)における屈折率、
ν25：前記第２レンズ群の最も像側に配置された前記正レンズのd線(波長λ=587.6nm)におけるアッベ数、
である。
【請求項９】
以下の条件を満足することを特徴とする請求項８に記載の広角ズームレンズ。
0.3＜f1/r12a＜1
但し、
f1：前記第1レンズ群の焦点距離、
r12a：前記第１レンズ群の前記負レンズの物体側面の曲率半径、
である。
【請求項１０】
以下の条件式を満足することを特徴とする請求項８または９に記載の広角ズームレンズ。
28＜ν13＜35
1.79＜n13
但し、
ν13：前記第１レンズ群の前記正レンズのd線(波長λ=587.6nm)におけるアッベ数、
n13：前記第１レンズ群の前記正レンズのd線(波長λ=587.6nm)における屈折率、
である。
【請求項１１】
物体側から順に、負の屈折力を有する第１レンズ群と、正の屈折力を有する第２レンズ群とを有し、前記第1レンズ群は、物体側から順に、物体側に凸面を向けた負メニスカスレンズと、負レンズと、物体側に凸面を向けた正レンズとを有し、前記第２レンズ群は、物体側より順に、正レンズと、負レンズとを有し、前記第１レンズ群の前記負メニスカスレンズの少なくとも一方の面を非球面で構成し、前記第1レンズ群と前記第２レンズ群との間隔を変化させることによって焦点距離を変化させ、以下の条件を満足することを特徴とする広角ズームレンズ。
67＜ν12
28＜ν13＜35
1.79＜n13
但し、
ν12：前記第1レンズ群の前記負レンズのd線(波長λ=587.6nm)におけるアッベ数、
ν13：前記第１レンズ群の前記正レンズのd線(波長λ=587.6nm)におけるアッベ数、
n13：前記第１レンズ群の前記正レンズのd線(波長λ=587.6nm)における屈折率、
である。
【発明の詳細な説明】
【技術分野】
【０００１】
本発明は、スチルカメラやデジタルカメラ等に最適な広角ズームレンズに関する。
【背景技術】
【０００２】
ＣＣＤをはじめとする固体撮像素子を利用したいわゆるデジタルスチルカメラが、従来のフィルムカメラにかわって普及を見せている。それに伴って、３倍程度のズーム比を有し、固体撮像素子に適したズームレンズが提案されている（例えば、特許文献１、特許文献２、及び特許文献３参照。）。
【特許文献１】特開平１１−２３９６７号公報
【特許文献２】特開平２００３−１０７３４８号公報
【特許文献３】特開平２００３−１０７３５２号公報
【発明の開示】
【発明が解決しようとする課題】
【０００３】
しかし、特許文献１で提案されているズームレンズは広角端状態における画角が６０°程度であって、レンズの広角化を望む声に十分こたえたものとはいえなかった。
【０００４】
これを解決するものとして、特許文献２、特許文献３で提案されているズームレンズが知られているが、これらも広角端状態における画角が８０°程度で、広角端状態におけるＦナンバーが２．７程度であって、広角化や大口径化の点でいまだ不十分なものであった。
【０００５】
本発明は、上記課題に鑑みて行われたものであり、広角端状態において広画角、あるいは大口径化が可能な固体撮像素子に好適な高性能な広角ズームレンズを提供することを目的とする。
【課題を解決するための手段】
【０００６】
上記課題を解決するために、本発明は、物体側から順に、負の屈折力を有する第１レンズ群と、正の屈折力を有する第２レンズ群とを有し、前記第1レンズ群は、物体側から順に、物体側に凸面を向けた負メニスカスレンズと、負レンズと、物体側に凸面を向けた正レンズとを有し、前記第２レンズ群は、物体側より順に、正レンズと、負レンズとを有し、前記第１レンズ群の前記負メニスカスレンズの少なくとも一方の面を非球面で構成し、前記第1レンズ群と前記第２レンズ群との間隔を変化させることによって焦点距離を変化させ、前記第１レンズ群の前記負レンズは、以下の条件を満足することを特徴とする広角ズームレンズを提供する。
【０００７】
67＜ν12
2.05＜n12＋0.007×ν12
但し、ν12は前記第1レンズ群の前記負レンズのd線(波長λ=587.6nm)におけるアッベ数、n12は前記第１レンズ群の前記負レンズのd線(波長λ=587.6nm)における屈折率である。
【０００８】
また、本発明は、物体側から順に、負の屈折力を有する第1レンズ群と、正の屈折力を有する第２レンズ群と、正の屈折力を有する第３レンズ群とを有し、前記第1レンズ群は、物体側から順に、物体側に凸面を向けた負メニスカスレンズと、負レンズと、物体側に凸面を向けた正レンズとを有し、前記第２レンズ群は、物体側から順に、最も物体側に配置された正レンズと、正レンズと負レンズを接合した接合レンズ成分と、最も像側に配置された正レンズとを有し、前記第１レンズ群の前記負メニスカスレンズの少なくとも一方の面と、前記第２レンズ群の前記最も物体側に配置された前記正レンズの少なくとも一方の面とを非球面で構成し、前記第1レンズ群と前記第２レンズ群の間隔を変化させることによって焦点距離を変化させ、前記第３レンズ群を光軸に沿って移動させることによって合焦を行い、以下の条件を満足することを特徴とする広角ズームレンズを提供する。
【０００９】
1.69＜n11＜1.83
67＜ν12
2.05＜n12＋0.007×ν12
67＜ν25
2.05＜n25＋0.007×ν25
但し、n11は前記第１レンズ群の前記負メニスカスレンズのd線(波長λ=587.6nm)における屈折率、ν12は前記第１レンズ群の前記負レンズのd線(波長λ=587.6nm)におけるアッベ数、n25は前記第２レンズ群の最も像側に配置された前記正レンズのd線(波長λ=587.6nm)における屈折率、ν25は前記第２レンズ群の最も像側に配置された前記正レンズのd線(波長λ=587.6nm)におけるアッベ数である。
【００１０】
また、本発明は、物体側から順に、負の屈折力を有する第１レンズ群と、正の屈折力を有する第２レンズ群とを有し、前記第1レンズ群は、物体側から順に、物体側に凸面を向けた負メニスカスレンズと、負レンズと、物体側に凸面を向けた正レンズとを有し、前記第２レンズ群は、物体側より順に、正レンズと、負レンズとを有し、前記第１レンズ群の前記負メニスカスレンズの少なくとも一方の面を非球面で構成し、前記第1レンズ群と前記第２レンズ群との間隔を変化させることによって焦点距離を変化させ、以下の条件を満足することを特徴とする広角ズームレンズを提供する。
【００１１】
67＜ν12
28＜ν13＜35
1.79＜n13
但し、ν12は前記第1レンズ群の前記負レンズのd線(波長λ=587.6nm)におけるアッベ数、ν13は前記第１レンズ群の前記正レンズのd線(波長λ=587.6nm)におけるアッベ数、n13は前記第１レンズ群の前記正レンズのd線(波長λ=587.6nm)における屈折率である。
【００１２】
また、本発明にかかる広角ズームレンズは、以下の条件を満足することが好ましい。
0.3＜f1/r12a＜1
但し、f1は前記第1レンズ群の焦点距離、r12aは前記第１レンズ群の前記負レンズの物体側面の曲率半径である。
【００１３】
また、本発明にかかる広角ズームレンズは、以下の条件式を満足することが好ましい。
28＜ν13＜35
1.79＜n13
但し、ν13は前記第１レンズ群の前記正レンズのd線(波長λ=587.6nm)におけるアッベ数、n13は前記第１レンズ群の前記正レンズのd線(波長λ=587.6nm)における屈折率である。
【発明の効果】
【００１４】
本発明によれば、固体撮像素子に適した、広角端の画角が８６度を超えるズーム比３倍以上の高性能な広角ズームレンズ、あるいは広角端のＦナンバーが２程度の明るさを有するズーム比が３倍程度の高性能な広角ズームを得ることができる。
【発明を実施するための最良の形態】
【００１５】
以下、本発明の実施の形態にかかる広角ズームレンズに関し説明する。
【００１６】
本発明の実施例にかかる広角ズームレンズは、物体側から順に、負の屈折力を有する第1レンズ群と、正の屈折力を有する第２レンズ群とを有し、第1レンズ群は、物体側から順に、物体側に凸面を向けた負メニスカスレンズと、負レンズと、物体側に凸面を向けた正レンズとを有し、第２レンズ群は、物体側から順に、最も物体側に配置された正レンズと、負レンズを有し、第1レンズ群と第２レンズ群の間隔を変化させることによって焦点距離を変化させる構成である。
【００１７】
ここで、第１レンズ群の負レンズの少なくとも一方の面を、光軸から周辺にゆくに従って屈折力が弱まるような非球面で構成することによって、レンズを広角化することで顕著に発生する広角端状態の負の歪曲収差を良好に補正している。そのため第1レンズ群を単純な３枚のレンズで構成しても良好な収差補正を達成している。
【００１８】
上述のように構成された広角ズームレンズにおいて、以下の条件式（１ａ）及び（１ｂ）を満足する構成である。
（１ａ）  67＜ν12
（１ｂ）  2.05＜n12＋0.007×ν12
但し、ν12は前記第1レンズ群の前記負レンズのd線(波長λ=587.6nm)におけるアッベ数、n12は前記第１レンズ群の前記負レンズのd線(波長λ=587.6nm)における屈折率である。
【００１９】
条件式（１ａ）及び（１ｂ）は、ズームレンズを広角化する上で、歪曲収差とともに問題となる倍率色収差の良好な補正のための条件である。第１レンズ群の負メニスカスレンズで発生する倍率色収差を抑えるため、第１レンズ群の負レンズに、低分散のガラス材料を選択することによって倍率色を良好に補正することが出来る。条件式（１ａ）及び（１ｂ）の範囲を超えると８０度以上の画角にわたる良好な倍率色収差の補正が困難となり好ましくない。なお、発明の効果を確実にするため、条件式（１ａ）の下限値を８０にすることが好ましい。
【００２０】
また、上述のように構成された広角ズームレンズにおいて、以下の条件式（２）及び（３）を満足する構成が望ましい。
（２）  1.69＜n11＜1.83
（３）  2.29＜n11＋0.012×ν11＜2.39
但し、n11は第１レンズ群の負メニスカスレンズのd線(波長λ=587.6nm)における屈折率、ν11は第１レンズ群の負メニスカスレンズのd線(波長λ=587.6nm)におけるアッベ数である。
【００２１】
非球面を製作する方法は、ガラス材料を直接切削して非球面にする切削法と、非球面の型をつくり、ガラスに転写するモールド法に大別されるが、低いコストで大量に製作するためにはモールド法で製作できることが好ましく、条件式（２）及び（３）は、この為の条件を規定している。
【００２２】
条件式（２）は、第１レンズ群の負メニスカスレンズの屈折率を規定するものである。条件式（２）の下限値を超えると、第１レンズ群の負メニスカスレンズの像側面の曲率半径が小さくなりすぎて、諸収差の補正が困難になるばかりか、非球面をガラスモールド技術によって製作する場合に成型が困難となる。条件式（２）の上限値を超えると、諸収差の補正には有利ではあるが、屈折率の高いガラスは総じて高価でありレンズ全体の価格が高くなりすぎる。
【００２３】
条件式（３）は、第１レンズ群の負メニスカスレンズをガラスモールドで製作するための条件である。モールド法で製作するためには、転移点の低いガラス材料を使う必要がある。条件式（３）の上限値を超えると諸収差の補正には有利であるが、転移点の高いガラス材料を使うことになるため、モールド法で非球面を製作することが困難になる。条件式（３）の下限値を超えると高分散のガラス材料を使うことになるため諸収差とりわけ色収差の良好な補正が困難となる。なお、発明の効果を確実にするため、条件式（３）の上限値を２．３４にすることが好ましい。
【００２４】
また、本発明の実施の形態にかかる広角ズームレンズは、第２レンズ群の像側に正の屈折力を有する第３レンズ群を備え、第３レンズ群を光軸に沿って移動させることによって合焦を行い、以下の条件式（４）から（６）を満足することが望ましい。
（４）  -1.3＜f2/f1＜-0.9
（５）  1.5＜f3/f2＜2.5
（６）  0.3＜D23W/f2＜0.6
但し、f1は第1レンズ群の焦点距離、f2は第２レンズ群の焦点距離、f3は第３レンズ群の焦点距離、D23Wは第２レンズ群と第３レンズ群の広角端状態における空気間隔である。
【００２５】
第３レンズ群の役割は、光学系全体の射出瞳位置を像面に配置された撮像素子に最適化させるいわゆるフィールドレンズと、この第３レンズ群を光軸に沿って移動させることによって合焦を行うフォーカスレンズの２つがある。このようにフォーカスレンズをズームによって移動する第１レンズ群および第２レンズ群と独立させることによって、鏡筒の構成を単純にすることが出来るため好ましい。なお、第３レンズ群をズーム動作時も移動可能にして、さらに収差補正の自由度をあげることができることは言うまでもない。
【００２６】
条件式（４）は、３倍以上の変倍比を確保するための条件である。条件式（４）の上限を超えると変倍比の確保が困難でありまたペッツバール和が正に過大となるため、像面湾曲の補正が困難となる。条件式（４）の下限値を超えると変倍比の確保には有利であるが、ズームレンズ系全体が大型化するため好ましくない。なお、本発明の効果を確実にするために、条件式（４）の上限値を−１．１にすることが好ましい。
【００２７】
条件式（５）は、第３レンズ群の焦点距離を規定している。条件式（５）の上限値を超えると、合焦時の第３レンズ群の移動量が大きくなってしまうため好ましくない。条件式（５）の下限値を超えると第３レンズ群の屈折力が過大で、固体撮像素子に最適な射出瞳位置にできないばかりか、ズームレンズ系の大型化を招くため好ましくない。
【００２８】
条件式（６）は、前記第３レンズ群の配置を規定している。条件式（６）の上限値を超えるとフィールドレンズとしての第３レンズ群の効果が減じるため好ましくない。条件式（６）の下限値を超えるとバックフォーカスが短くなり過ぎるため好ましくない。この条件式（５）および（６）の条件内であるとき、固体撮像素子に最適な射出瞳位置が得られる。
【００２９】
また、第３レンズ群をフォーカス群として用いる場合は、フォーカスによる色収差の変動を抑えるため、正レンズと負レンズの接合レンズとして構成するか、単レンズで構成することが望ましい。第３レンズ群を単レンズで構成する場合、第３レンズ群はｄ線（波長λ＝５８７．６ｎｍ）におけるアッベ数が７０を超えるガラス材を用いることが好ましい。
【００３０】
また、本発明の実施の形態にかかる広角ズームレンズは、以下の条件式（７）、（８）を満足することが望ましい。
（７）  28＜ν13＜35
（８）  1.79＜n13
但し、ν13は第１レンズ群の正レンズのd線(波長λ=587.6nm)におけるアッベ数、n13は第１レンズ群の正レンズのd線(波長λ=587.6nm)における屈折率である。
【００３１】
条件式（７）及び（８）は、良好な倍率色補正および諸収差の良好な補正を達成するための規定である。条件式（７）の下限値を超えると、２次の倍率色収差が増加するため、広い画角にわたる良好な倍率色収差の補正が困難である。条件式（７）上限値を超えると1次の倍率色収差の補正が困難となる。
【００３２】
条件式（８）の下限値を超えると、広角端状態での像面湾曲および望遠端状態でのコマ収差が悪化するため好ましくない。
【００３３】
また、本発明の実施の形態にかかる広角ズームレンズは、以下の条件（９）を満足することが望ましい。
（９）  0.3＜f1/r12a＜1
但し、r12aは第１レンズ群の負レンズの物体側面の曲率半径である。
【００３４】
条件式（９）は、球面収差と広い画角にわたる良好なコマ収差の補正のための規定である。条件式（９）の下限値を超えると、第１レンズ群の負レンズの物体側面の凹面の曲率が小さくなり、第１レンズ群の負メニスカスレンズで発生するコマ収差を打ち消すことができず、かつ望遠端状態における良好な球面収差の補正が困難になる。条件式（９）の上限値を超えると第１レンズ群の負レンズの物体側面の凹面の曲率が大きくなりすぎるため、かえってコマ収差の補正に破綻を来たし、かつ、広角端状態における負の歪曲収差を増加させてしまう。
【００３５】
また、本発明の実施の形態にかかる広角ズームレンズでは、第２レンズ群は、物体側から順に、最も物体側に配置された正レンズと、負レンズと、最も像側に配置された正レンズとを有し、最も物体側に配置された正レンズの少なくとも一方の面を非球面で構成し、以下の条件式（１０ａ）及び（１０ｂ）を満足することが望ましい。
（１０ａ）  67＜ν25
（１０ｂ）  2.05＜n25＋0.007×ν25
但し、ν25は第２レンズ群の最も像側に配置された正レンズのd線(波長λ=587.6nm)におけるアッベ数、n25は第２レンズ群の最も像側に配置された正レンズのd線(波長λ=587.6nm)における屈折率である。
【００３６】
第２レンズ群の最も物体側の正レンズを非球面レンズで構成することによって、第２レンズ群を大型化させることなく良好な球面収差の補正ができ、また条件式（１０ａ）及び（１０ｂ）範囲を満足することによって、望遠端状態での良好な軸上色収差の補正が得られる。なお、発明の効果を確実にするため、条件式（１０ａ）の下限値を８０にすることが好ましい。
【００３７】
また、本発明の実施の形態にかかる広角ズームレンズは、以下の条件式（１１）、（１２）を満足することが望ましい。
（１１）  28＜ν23＜42
（１２）  1.75＜n23
但し、ν23は第２レンズ群の負レンズのd線(波長λ=587.6nm)におけるアッベ数、n23は第２レンズ群の負レンズのd線(波長λ=587.6nm)における屈折率である。
【００３８】
条件式（１１）はさらに良好な軸上色収差の補正を得るためのもので、条件式（１１）の上限値を超えると1次の軸上色収差の補正が困難であり、条件式（１１）の下限値を超えると２次の軸上色収差の補正が困難となるため、かえって色収差を増加させてしまう。なお、本発明の効果を確実にするために、条件式（１１）の下限値は３０とすることが好ましい。
【００３９】
条件式（１２）はさらに良好な球面収差補正のためのもので、条件式（１２）の下限値を超えると球面収差の補正上好ましくない。
【００４０】
（実施例）
次に、本発明の実施の形態にかかる広角ズームレンズの各実施例について図面を参照しつつ説明する。
【００４１】
（第１実施例）
図１は、本発明の第１実施例にかかる広角ズームレンズのレンズ構成を示す。
【００４２】
図１において、本第１実施例の広角ズームレンズは、物体側より順に、物体側に凸面を向けた負メニスカスレンズＬ１１と、両凹形状の負レンズのＬ１２と、両凸形状の正レンズＬ１３とからなり負の屈折力を持つ第1レンズ群Ｇ１と、フレアストッパーＦＳと、開口絞りＳと、両凸形状の正レンズＬ２１と、両凸形状の正レンズＬ２２と両凹形状の負レンズＬ２３との接合レンズと、物体側に凸面を向けた負メニスカスレンズＬ２４と両凸形状の正レンズＬ２５との接合レンズとからなり正の屈折力を持つ第２レンズ群Ｇ２と、両凸形状の正レンズＬ３１と両凹形状の負レンズＬ３２との接合レンズからなり正屈折力を持つ第３レンズ群Ｇ３とを有し、第１レンズ群Ｇ１の負メニスカスレンズＬ１１の像側面と、第２レンズ群Ｇ２の正レンズＬ２１の物体側面と、第３レンズ群Ｇ３の正レンズＬ３１の物体側面を非球面で構成し、第３レンズ群Ｇ３と像面Ｉとの間に、オプチカルローパスフィルターＬＰＦと、像面Ｉに配置された撮像素子ＤのカバーガラスＣＧが配置されて構成されている。開口絞りＳは第２レンズ群Ｇ２と一体に移動する。
【００４３】
広角端状態Ｗから望遠端状態Ｔへの変倍に際し、第３レンズ群Ｇ３は像面Ｉに対して固定され、第１レンズ群Ｇ１と第２レンズ群Ｇ２が移動し、遠距離物体から近距離物体への合焦は第３レンズ群Ｇ３を物体側に移動させることによって行う。
【００４４】
この様に構成することによって、高い性能を保ちながら広角端状態Ｗにおいて画角８７度を超える広角化を達成している。
【００４５】
以下の表１に本第１実施例の広角ズームレンズの諸元の値を示す。表において、「全体諸元」中、ｆは焦点距離、Ｂｆはバックフォーカス、ＦＮｏはＦナンバー、２Ａは画角（単位：度）、ｙは像高をそれぞれ表す。「レンズデータ」中、左端の数字は物体側からのレンズ面の順序、ｒは曲率半径、ｄは面間隔、νｄ及びndはｄ線（波長λ＝５８７．６ｎｍ）に対するアッベ数及び屈折率をそれぞれ表している。なお、ｒ＝∞は平面を表している。「非球面データ」中の非球面は、光軸方向の面の深さをｘ、光軸と垂直方向の高さをｈ、基準球面の曲率半径（近軸曲率半径）をＲ、円錐係数をＫ、ｎ次の非球面係数をＣｎとして以下の式で表され、レンズデータ中に*印を付して表記した。
x＝(h2/R)/(1+(1-K*h2/R2)1/2) +C4×h4+C6×h6+C8×h8+C10×h10
データ中、例えば「Ｅ−０１」は「１０−１」を示す。「可変間隔データ」中、Ｒは撮影距離(物像間距離)、ｆは焦点距離、βは撮影倍率、D0は物体から第１レンズ群Ｇ１の最も物体側のレンズ面までの距離（撮影距離）、Ｂｆはバックフォーカスをそれぞれ示す。「条件式対応値」は各条件式の対応値である。
【００４６】
なお、以下の全ての諸元値において、掲載されている焦点距離ｆ、曲率半径ｒ、面間隔ｄその他の長さ等は、特記の無い場合一般に「ｍｍ」が使われるが、光学系は比例拡大または比例縮小しても同等の光学性能が得られるので、これに限られるものではない。また、単位は「ｍｍ」に限定されること無く他の適当な単位を用いることもできる。さらに、これらの記号の説明は、以降の他の実施例においても同様とする。
【００４７】
（表１）
「全体諸元」
f=6.28-21.00
Bf=0.99
FNo=2.67-5.13
2A=87.28-30.34
y=5.70
「レンズデータ」
r         d     νd      nd
1)   34.1403   2.0000  40.95 1.804700  
* 2)    8.2723   6.0000        1.000000     
3)  -30.3610   1.3000  81.61 1.497000  
4)   16.4423   2.0000        1.000000     
5)   22.2282   2.7000  32.35 1.850260  
6) -212.2667    (D1)         1.000000     
7)    ∞        (D2)         1.000000     フレアストッパーＦＳ
8>    ∞       0.5000        1.000000     開口絞りＳ
* 9)   10.4486   2.6000  57.44 1.606020  
10)  -95.3055   0.6000        1.000000     
11)   11.7898   3.0000  50.88 1.658440  
12)  -14.5069   0.9000  39.59 1.804400  
13)    8.0271   0.9000        1.000000     
14)   30.7399   0.9000  37.95 1.723420  
15)    7.2443   2.6000  81.61 1.497000  
16)  -18.3656    (D3)         1.000000     
*17)   14.4548   3.6000  57.44 1.606020 
18)  -53.0000   0.9000  23.78 1.846660  
19)  167.8106    (D4)         1.000000     
20)    ∞       2.7600  64.20 1.516800  
21)    ∞       0.5000        1.000000     
22)    ∞       0.5000  64.20 1.516800  
23)    ∞        (Bf)         1.000000
(非球面係数)
面   K         C 4          C 6          C 8          C10
2  0.3055   1.04910E-05  2.01200E-07 -5.72700E-12 -4.78540E-12
9  0.4078  -4.74070E-07  3.26430E-08  1.15490E-08 -1.92510E-10
17  1.6047  -1.98410E-05 -4.01260E-07  1.27770E-08 -1.25530E-10
「可変間隔データ」
広角端状態     中間焦点距離状態     望遠端状態
無限遠           無限遠             無限遠 
ｆ    6.28000           11.50000           21.00000   
D0     ∞                 ∞                  ∞       
D1   15.37846            0.30000            0.30000   
D2   11.00000           10.52327            2.05746 
D3    9.07667           17.55854           32.99488 
D4    0.85672            0.85672            0.85672 
Bf    0.99000            0.99000            0.99000 
広角端状態     中間焦点距離状態    望遠端状態
R=500              R=500            R=500
β    -0.01425          -0.02551          -0.04566
D0   428.4381          435.5117          428.5409
D1    15.37846           0.30000           0.30000
D2    11.00000          10.52327           2.05746
D3     8.88237          16.93567          31.08750
D4     1.05103           1.47959           2.76410
Bf     0.99000           0.99000           0.99000
「条件式対応値」
(1a) ν12             =  81.610
(1b) n12＋0.007×ν12 =   2.068
(2)  n11              =   1.805
(3)  n11+0.012×ν11  =   2.296
(4)  f2/f1            =  -1.199 
(5)  f3/f2            =   1.604
(6)  D23W/f2          =   0.485
(7)  ν13             =  32.350
(8)  n13              =   1.850
(9)  f1/r12a          =   0.514
(10a)  ν25           =  81.610 
(10b) n25＋0.007×ν25=   2.068
(11)  ν23            =  39.590 
(12)  n23             =   1.804
【００４８】
図２は本第１実施例にかかる広角ズームレンズの広角端状態における無限遠焦点距離の諸収差図を示す。図３は本第１実施例にかかる広角ズームレンズの中間焦点距離状態における無限遠焦点距離の諸収差図を示す。図４は本第1実施例にかかる広角ズームレンズの望遠端状態における無限遠焦点距離の諸収差図を示す。図５は本第1実施例にかかる広角ズームレンズの広角端撮影距離R=500mmにおける諸収差図を示す。図６は本第1実施例にかかる広角ズームレンズの中間焦点距離撮影距離R=500mmにおける諸収差図を示す。図７は本第1実施例にかかる広角ズームレンズの望遠端撮影距離R=500mmにおける諸収差図を示す。
【００４９】
各収差図において、ＦＮＯはＦナンバー、Ｙは像高、ＮＡは開口数、ｄはｄ線（λ=587.6nm）、ｇはｇ線（λ=435.8nm）、ＦはＦ線（λ=486.1nm）、CはC線（λ=656.3nm）を示しており、非点収差図において実線はサジタル像面、破線はメリディオナル像面をそれぞれ示している。なお、これらの記号の説明は、以降の他の実施例においても同様とし説明を省略する。
【００５０】
各収差図から、本第１実施例の広角ズームレンズは、諸収差が良好に補正され、優れた結像性能を有していることが明らかである。
【００５１】
（第２実施例）
図８は、本発明の第２実施例にかかる広角ズームレンズのレンズ構成を示す。
【００５２】
図８において、本第２実施例の広角ズームレンズは、物体側より順に、物体側に凸面を向けた負メニスカスレンズＬ１１と、物体側に凹面を向けた負メニスカスレンズＬ１２と、両凸形状の正レンズＬ１３とからなり負の屈折力を持つ第1レンズ群Ｇ１と、フレアストッパーＦＳと、開口絞りＳと、両凸形状の正レンズＬ２１と、両凸形状の正レンズＬ２２と両凹形状の負レンズＬ２３との接合レンズと、物体側に凸面を向けた負メニスカスレンズＬ２４と両凸形状の正レンズＬ２５との接合レンズからなり正の屈折力を持つ第２レンズ群Ｇ２と、両凸形状の正レンズＬ３１と両凹形状の負レンズＬ３２との接合レンズからなり正の屈折力を持つ第３レンズ群Ｇ３とを有し、第１レンズ群Ｇ１の負メニスカスレンズＬ１１の像側面と、第２レンズ群Ｇ２の正レンズＬ２１の物体側面と、第３レンズ群Ｇ３の正レンズＬ３１の物体側面を非球面で構成し、第３レンズ群Ｇ３と像面Ｉとの間に、オプチカルローパスフィルターＬＰＦと、像面Ｉに配置された撮像素子ＤのカバーガラスＣＧが配置されて構成されている。開口絞りＳは第２レンズ群Ｇ２と一体に移動する。
【００５３】
広角端状態Ｗから望遠端状態Ｔへの変倍に際し、第３レンズ群Ｇ３は像面Ｉに対して固定され、第１レンズ群Ｇ１と第２レンズ群Ｇ２が移動し、遠距離物体から近距離物体への合焦は前記第３レンズ群Ｇ３を物体側に移動させることによって行う。
【００５４】
この様に構成することによって、高い性能を保ちながら広角端状態Ｗにおいて画角８７度を超える広角化を達成している。
【００５５】
以下の表２に本第２実施例の広角ズームレンズの諸元の値を示す。
【００５６】
（表２）
「全体諸元」
f=6.28-21.00
Bf=0.99
FNo=2.66-5.26
2A=87.27-30.37
y=5.70
(レンズデータ)
r         d     νd      nd
1)   33.1661   2.2000  45.10 1.792480  
* 2)    7.3301   6.0000        1.000000     
3)  -19.1000   1.4000  81.61 1.497000 
4) -482.0106   2.8000        1.000000     
5)   40.6647   2.4000  28.55 1.795040  
6)  -98.6176    (D1)         1.000000     
7)    ∞        (D2)         1.000000     フレアストッパーＦＳ
8>    ∞       0.5000        1.000000     開口絞りＳ
* 9)    9.2906   2.6000  59.10 1.583320  
10)  -54.8308   0.6000        1.000000     
11)   10.0228   3.0000  44.89 1.639300 
12)  -11.5553   0.9000  37.17 1.834000  
13)    6.9627   1.0000        1.000000     
14)   20.1915   0.8000  34.96 1.801000  
15)    6.7448   3.0000  81.61 1.497000  
16)  -23.4554    (D3)         1.000000     
*17)   15.7144   3.6000  57.44 1.606020 
18)  -50.4093   0.9000  23.78 1.846660  
19)  872.6010    (D4)         1.000000     
20)    ∞       2.7600  64.20 1.516800  
21)    ∞       0.5000        1.000000     
22)    ∞       0.5000  64.20 1.516800  
23)    ∞        (Bf)         1.000000
「非球面データ」
面   K         C 4          C 6          C 8          C10
2  0.4651  -3.02030E-05  9.05220E-08 -4.25100E-10 -2.19430E-11
9  0.5211   0.00000E+00  2.99090E-07  1.12430E-08 -4.77380E-11
17  1.0404  -6.46170E-06 -9.35150E-08  1.59690E-08 -1.66260E-10
「可変間隔データ」
広角端状態    中間焦点距離状態    望遠端状態    
無限遠            無限遠           無限遠    
ｆ     6.28000           11.50000          21.00000   
D0        ∞                ∞               ∞       
D1    12.08055            0.30000           0.30000   
D2    12.00000            8.80879           0.66050   
D3     6.58002           14.74501          29.60466   
D4     1.13716            1.13716           1.13716   
Bf     0.99000            0.99000           0.99000   
広角端状態    中間焦点距離状態    望遠端状態
R=500            R=500            R=500
β     -0.01417         -0.02540         -0.04547
D0    431.7522         438.5592         431.8477
D1     12.08055          0.30000          0.30000
D2     12.00000          8.80879          0.66050
D3      6.38684         14.12492         27.70457
D4      1.33034          1.75725          3.03725
Bf      0.99000          0.99000          0.99000
[条件式対応値]
(1a) ν12             = 81.610
(1b) n12＋0.007×ν12 =  2.068
(2)  n11              =  1.792 
(3)  n11+0.012×ν11  =  2.334  
(4)  f2/f1            = -1.154 
(5)  f3/f2            =  1.667  
(6)  D23W/f2          =  0.366 
(7)  ν13             = 28.550 
(8)  n13              =  1.795 
(9)  f1/r12a          =  0.817 
(10a)  ν25           = 81.610 
(10b) n25＋0.007×ν25=  2.068
(11)  ν23            = 37.170 
(12)  n23             =  1.834
【００５７】
図９は本第２実施例にかかる広角ズームレンズの広角端状態における無限遠焦点距離の諸収差図を示す。図１０は本第２実施例にかかる広角ズームレンズの中間焦点距離状態における無限遠焦点距離の諸収差図を示す。図１１は本第２実施例にかかる広角ズームレンズの望遠端状態における無限遠焦点距離の諸収差図を示す。図１２は本第２実施例にかかる広角ズームレンズの広角端撮影距離R=500mmにおける諸収差図を示す。図１３は本第２実施例にかかる広角ズームレンズの中間焦点距離撮影距離R=500mmにおける諸収差図を示す。図１４は本第２実施例にかかる広角ズームレンズの望遠端撮影距離R=500mmにおける諸収差図を示す。
【００５８】
各収差図から、本第２実施例の広角ズームレンズは、諸収差が良好に補正され、優れた結像性能を有していることが明らかである。
【００５９】
（第３実施例）
図１５は、本発明の第３実施例にかかる広角ズームレンズのレンズ構成を示す。
【００６０】
図１５において、本第３実施例の広角ズームレンズは、物体側より順に、物体側に凸面を向けた負メニスカスレンズＬ１１と、両凹形状の負レンズＬ１２と、物体側に凸面を向けた正メニスカスレンズＬ１３とからなり負の屈折力を持つ第1レンズ群Ｇ１と、フレアストッパーＦＳと、開口絞りＳと、両凸形状の正レンズＬ２１と、両凸形状の正レンズＬ２２と両凹形状の負レンズＬ２３との接合レンズと、物体側に凸面を向けた負メニスカスレンズＬ２４と両凸形状の正レンズＬ２５との接合レンズとからなり正の屈折力を持つ第２レンズ群Ｇ２と、両凸形状の正レンズＬ３１と両凹形状の負レンズＬ３２との接合レンズとからなり正の屈折力を持つ第３レンズ群Ｇ３とを有し、第１レンズ群Ｇ１の負メニスカスレンズＬ１１の像側面と、第２レンズ群Ｇ２の正レンズＬ２１の物体側面と、第３レンズ群Ｇ３の正レンズＬ３１の物体側面を非球面で構成し、第３レンズ群Ｇ３と像面Ｉとの間には、オプチカルローパスフィルターＬＰＦと、像面Ｉに配置された撮像素子ＤのカバーガラスＣＧが配置されて構成されている。開口絞りＳは第２レンズ群Ｇ２と一体に移動する。
【００６１】
広角端状態Ｗから望遠端状態Ｔへの変倍に際し、第３レンズ群Ｇ３は像面Ｉに対して固定され、第１レンズ群Ｇ１と第２レンズ群Ｇ２が移動し、遠距離物体から近距離物体への合焦は前記第３レンズ群Ｇ３を物体側に移動させることによって行う。
【００６２】
この様に構成することによって、高い性能を保ちながら広角端状態Ｗにおいて画角８７度を超える広角化を達成している。
【００６３】
以下の表３に本第３実施例の広角ズームレンズの諸元の値を示す。
【００６４】
（表３）
「全体諸元」
f=6.28-21.00
Bf=0.99
FNo=2.68-5.14
2A=87.29-30.34
y=5.70
「レンズデータ」
r         d     νd      nd
1)   33.2600   2.2000  45.53 1.754000  
* 2)    8.2752   6.4000        1.000000     
3)  -36.5301   1.3000  81.61 1.497000  
4)   16.3217   2.2000        1.000000     
5)   21.4070   2.7000  32.35 1.850260  
6)  372.1116    (D1)         1.000000  
7)    ∞        (D2)         1.000000  フレアストッパーＦＳ
8>    ∞       0.5000        1.000000  開口絞りＳ
* 9)   10.2651   2.6000  59.10 1.583320  
10)  -74.0767   0.6000        1.000000     
11)   11.2830   3.0000  50.88 1.658440  
12)  -13.8170   0.9000  39.59 1.804400  
13)    7.5054   0.9000        1.000000     
14)   30.6648   0.9000  37.95 1.723420  
15)    8.3512   2.6000  81.61 1.497000  
16)  -19.1954    (D3)         1.000000     
*17)   15.4428   3.9000  57.44 1.606020  
18)  -51.2130   1.0000  23.78 1.846660  
19)  452.1588    (D4)         1.000000     
20)    ∞       1.7200  64.20 1.516800  
21)    ∞       0.7640        1.000000     
22)    ∞       0.5000  64.20 1.516800  
23)    ∞        (Bf)         1.000000
「非球面データ」
面   K         C 4          C 6          C 8          C10
2  0.3333   1.41260E-05  2.17950E-07  5.15730E-11  1.61800E-12
9  0.3833   1.69550E-06  1.45000E-07  5.86320E-09 -4.19770E-11
17  1.2219  -4.70030E-06 -1.53280E-07  1.02090E-08 -9.81410E-11
「可変間隔データ」
広角端状態    中間焦点距離状態    望遠端状態 
無限遠           無限遠           無限遠 
ｆ     6.28000          11.50000          21.00000
D0       ∞                ∞               ∞
D1    15.89963          0.34444            0.30000
D2    11.00000         11.00000            2.57862
D3     8.79701         17.27888           32.71522
D4     1.22320          1.22320            1.22320
Bf     0.99000          0.99000            0.99000
広角端状態    中間焦点距離状態    望遠端状態
R=500           R=500             R=500
β     -0.01426        -0.02553          -0.04569
D0    427.4061        434.4797          427.5089
D1     15.89963         0.34444           0.30000
D2     11.00000        11.00000           2.57862
D3      8.60257        16.65557          30.80660
D4      1.41764         1.84650           3.13182
Bf      0.99000         0.99000           0.99000
「条件式対応値」
(1a) ν12               =  81.610
(1b) n12＋0.007×ν12   =   2.068
(2)  n11                =   1.754  
(3)  n11+0.012×ν11    =   2.300  
(4)  f2/f1              =  -1.199 
(5)  f3/f2              =   1.604 
(6)  D23W/f2            =   0.470  
(7)  ν13               =  32.350 
(8)  n13                =   1.850 
(9)  f1/r12a            =   0.427 
(10a)  ν25             =  81.610 
(10b) n25＋0.007×ν25  =   2.068
(11)  ν23              =  39.590 
(12)  n23               =   1.804 
【００６５】
図１６は本第３実施例にかかる広角ズームレンズの広角端状態における無限遠焦点距離の諸収差図を示す。図１７は本第３実施例にかかる広角ズームレンズの中間焦点距離状態における無限遠焦点距離の諸収差図を示す。図１８は本第３実施例にかかる広角ズークムンズの望遠端状態における無限遠焦点距離の諸収差図を示す。図１９は本第３実施例にかかる広角ズームレンズの広角端撮影距離R=500mmにおける諸収差図を示す。図２０は本３1実施例にかかる広角ズームレンズの中間焦点距離撮影距離R=500mmにおける諸収差図を示す。図２１は本第３実施例にかかる広角ズームレンズの望遠端撮影距離R=500mmにおける諸収差図を示す。
【００６６】
各収差図から、本第３実施例の広角ズームレンズは、諸収差が良好に補正され、優れた結像性能を有していることが明らかである。
【００６７】
（第４実施例）
図２２は、本発明の第４実施例にかかる広角ズームレンズのレンズ構成を示す。
【００６８】
図２２において、本第４実施例の広角ズームレンズは、物体側より順に、物体側に凸面を向けた負メニスカスレンズＬ１１と、両凹形状の負レンズＬ１２と、物体側に凸面を向けた正メニスカスレンズＬ１３とからなり負の屈折力を持つ第1レンズ群Ｇ１と、開口絞りＳと、両凸形状の正レンズＬ２１と、両凸形状の正レンズＬ２２と両凹形状の負レンズＬ２３との接合レンズと、両凸形状の正レンズＬ２４とからなり正の屈折力を持つ第２レンズ群Ｇ２と、両凸形状の正レンズＬ３１からなる正屈折力を持つ第３レンズ群Ｇ３とを有し、前記第１レンズ群Ｇ１の前記負メニスカスレンズＬ１１の像側面と、前記第２レンズ群Ｇ２の前記正レンズＬ２１の物体側面を非球面で構成し、第３レンズ群Ｇ３と像面Ｉとの間に、オプチカルローパスフィルターＬＰＦと、像面Ｉに配置された撮像素子ＤのカバーガラスＣＧが配置されて構成されている。開口絞りＳは第２レンズ群Ｇ２と一体に移動する。
【００６９】
広角端状態Ｗから望遠端状態Ｔへの変倍に際し、前記第３レンズ群Ｇ３は像面Ｉに対して固定され、第１レンズ群Ｇ１と第２レンズ群Ｇ２が移動し、遠距離物体から近距離物体への合焦は前記第３レンズ群Ｇ３を物体側に移動させることによって行う。
【００７０】
この様に構成することによって、高い性能を保ちながら広角端状態Ｗにおいて画角７８度を超える広角化を達成している。
【００７１】
以下の表４に本第４実施例の広角ズームレンズの諸元の値を示す。
【００７２】
（表４）
「全体諸元」
f=4.82-13.80
Bf=0.59
FNo=2.68-4.68
2A=78.54-30.42
y=3.75
「レンズデータ」
r         d     νd      nd
1)   29.4589   1.7000  45.45 1.750390  
* 2)    6.1061   3.6000        1.000000     
3)  -29.9473   1.1000  81.61 1.497000  
4)    8.1590   1.3445        1.000000     
5)   11.6574   2.0000  32.35 1.850260  
6)   95.5803    (D1)         1.000000     
7>    ∞       0.4000        1.000000  開口絞りＳ
* 8)    7.4179   2.1000  59.10 1.583320  
9)  -47.5145   0.5000        1.000000     
10)    9.5928   2.5000  50.88 1.658440  
11)  -11.8535   0.8000  32.35 1.850260  
12)    5.4880   0.8000        1.000000     
13)   24.5360   1.7000  81.61 1.497000  
14)  -12.1430    (D2)         1.000000     
15)   12.0000   2.1000  70.24 1.487490  
16) -161.0078    (D3)         1.000000     
17)    ∞       1.5200  64.20 1.516800  
18)    ∞       0.7000        1.000000     
19)    ∞       0.5000  64.20 1.516800  
20)    ∞        (Bf)         1.000000     
「非球面データ」
面   K         C 4          C 6          C 8          C10
2  0.2060  5.00720E-05  4.05050E-07 -1.61780E-08 -8.34980E-10
8  0.4471 -5.92060E-05 -1.01470E-06  1.27110E-07 -4.36460E-09
「可変間隔データ」
広角端状態    中間焦点距離状態    望遠端状態  
無限遠           無限遠           無限遠  
ｆ    4.82000           8.20000          13.80000 
D0       ∞               ∞               ∞ 
D1   16.38732           7.59421           2.50581 
D2    6.53918          11.75799          20.40453 
D3    1.18380           1.18380           1.18380 
Bf    0.59000           0.59000           0.59000 
広角端状態    中間焦点距離状態    望遠端状態
R=300            R=300            R=300
β    -0.01846        -0.03073          -0.05073
D0   251.9350        255.5096          251.9514
D1    16.38732         7.59421           2.50581
D2     6.31863        11.15293          18.84424
D3     1.40435         1.78885           2.74409
Bf     0.59000         0.59000           0.59000 
「条件式対応値」
(1a) ν12               =   81.610
(1b) n12＋0.007×ν12   =    2.068
(2)  n11                =    1.750  
(3)  n11+0.012×ν11    =    2.296  
(4)  f2/f1              =   -1.200 
(5)  f3/f2              =    1.825 
(6)  D23W/f2            =    0.519  
(7)  ν13               =   32.350 
(8)  n13                =    1.850 
(9)  f1/r12a            =    0.351 
(10a)  ν25             =   81.610 
(10b) n25＋0.007×ν25  =    2.068
(11)  ν23              =   32.350 
(12)  n23               =    1.850 
【００７３】
図２３は本第４実施例にかかる広角ズームレンズの広角端状態における無限遠焦点距離の諸収差図を示す。図２４は本第４実施例にかかる広角ズームレンズの中間焦点距離状態における無限遠焦点距離の諸収差図を示す。図２５は本第４実施例にかかる広角ズームレンズの望遠端状態における無限遠焦点距離の諸収差図を示す。図２６は本第４実施例にかかる広角ズームレンズの広角端撮影距離R=300mmにおける諸収差図を示す。図２７は本第４実施例にかかる広角ズームレンズの中間焦点距離撮影距離R=300mmにおける諸収差図を示す。図２８は本第４実施例にかかる広角ズームレンズの望遠端撮影距離R=300mmにおける諸収差図を示す。
【００７４】
各収差図から、本第４実施例の広角ズームレンズは、諸収差が良好に補正され、優れた結像性能を有していることが明らかである。
【００７５】
（第５実施例）
図２９は、本発明の第５実施例にかかる広角ズームレンズのレンズ構成を示す。
【００７６】
図２９において、本第５実施例の広角ズームレンズは、物体側より順に、物体側に凸面を向けた負メニスカスレンズＬ１１と、両凹形状の負レンズＬ１２と、両凸形状の正レンズＬ１３とからなり負の屈折力を持つ第1レンズ群Ｇ１と、開口絞りＳと、両凸形状の正レンズＬ２１と、両凸形状の正レンズＬ２２と両凹形状の負レンズＬ２３との接合レンズと、両凸形状の正レンズＬ２４とからなり正の屈折力を持つ第２レンズ群Ｇ２と、両凸形状の正レンズＬ３１からなり正屈折力を持つ第３レンズ群Ｇ３とを有し、前記第１レンズ群Ｇ１の前記負メニスカスレンズＬ１１の像側面と、前記第２レンズ群Ｇ２の前記正レンズＬ２１の両側面を非球面で構成し、第３レンズ群Ｇ３と像面Ｉとの間に、オプチカルローパスフィルターＬＰＦと、像面Ｉに配置された撮像素子ＤのカバーガラスＣＧが配置されて構成されている。開口絞りＳは第２レンズ群Ｇ２と一体に移動する。
【００７７】
広角端状態Ｗから望遠端状態Ｔへの変倍に際し、前記第３レンズ群Ｇ３は像面Ｉに対して固定され、第１レンズ群Ｇ１と第２レンズ群Ｇ２が移動し、遠距離物体から近距離物体への合焦は前記第３レンズ群Ｇ３を物体側に移動させることによって行う。
【００７８】
この様に構成することによって、高い性能を保ちながら広角端状態Ｗにおいて画角７８度、Ｆナンバー２の広角化と大口径化を同時に達成している。
【００７９】
以下の表５に本第５実施例の広角ズームレンズの諸元の値を示す。
【００８０】
（表５）
「全体諸元」
f=4.82-13.80
Bf=0.59
FNo=2.02-3.56
2A=78.84-30.39
y=3.75
「レンズデータ」
r         d     νd      nd
1)   18.1823   1.7000  45.45 1.750390 
* 2)    4.9852   4.0000        1.000000     
3)  -12.7107   1.1000  81.61 1.497000 
4)   22.0104   0.8000        1.000000     
5)   18.1723   2.0000  32.35 1.850260 
6)  -81.0308    (D1)         1.000000     
7>    ∞       0.4000        1.000000  開口絞りＳ   
* 8)    7.9332   2.8000  59.10 1.583320  
* 9)  -36.7576   0.5000        1.000000     
10)   11.2765   3.2000  50.88 1.658440  
11)  -12.1518   1.0000  32.35 1.850260  
12)    5.5478   1.0000        1.000000     
13)   11.4290   2.0000  81.61 1.497000 
14)  -18.6754    (D2)         1.000000     
15)   12.0000   2.1000  70.24 1.487490  
16) -161.0078    (D3)         1.000000     
17)    ∞       1.5600  64.20 1.516800  
18)    ∞       0.6736        1.000000     
19)    ∞       0.5000  64.20 1.516800  
20)    ∞        (Bf)         1.000000     
(非球面係数)
面   K         C 4          C 6          C 8          C10
2  0.5729  -5.24110E-05 -3.08460E-06  2.03650E-07 -4.95560E-09
8  0.1420  -1.76750E-06  2.48050E-07 -1.58470E-08 -1.85000E-09
9 -0.8063   0.00000E+00  0.00000E+00 -8.18330E-08  0.00000E+00
「可変間隔データ」
広角端状態   中間焦点距離状態    望遠端状態  
無限遠          無限遠          無限遠 
f      4.82000         8.20000         13.80000 
D0       ∞              ∞               ∞
D1    16.37216         7.57905          2.49065 
D2     5.18651        10.40532         19.05186 
D3     1.18380         1.18380          1.18380 
Bf     0.59000         0.59000          0.59000 
広角端状態    中間焦点距離所歌   望遠端状態
R=300             R=300          R=300
β     -0.01851        -0.03080        -0.05086
D0    251.3337        254.9083        251.3501
D1     16.37216         7.57905         2.49065
D2      4.96541         9.79884        17.48815
D3      1.40490         1.79028         2.74751
Bf      0.59000         0.59000         0.59000
「条件式対応値」
(1a) ν12               =  81.610
(1b) n12＋0.007×ν12   =   2.068
(2)  n11                =   1.750  
(3)  n11+0.012×ν11    =   2.296  
(4)  f2/f1              =  -1.200 
(5)  f3/f2              =   1.825 
(6)  D23W/f2            =   0.417  
(7)  ν13               =  32.350 
(8)  n13                =   1.850 
(9)  f1/r12a            =   0.826 
(10a)  ν25             =  81.610 
(10b) n25＋0.007×ν25  =   2.068
(11)  ν23              =  32.350 
(12)  n23               =   1.850 
【００８１】
図３０は本第５実施例にかかる広角ズームレンズの広角端状態における無限遠焦点距離の諸収差図を示す。図３１は本第５実施例にかかる広角ズームレンズの中間焦点距離状態における無限遠焦点距離の諸収差図を示す。図３２は本第５実施例にかかる広角ズームレンズの望遠端状態における無限遠焦点距離の諸収差図を示す。図３３は本第５実施例にかかる広角ズームレンズの広角端撮影距離R=300mmにおける諸収差図を示す。図３４は本第５実施例にかかる広角ズームレンズの中間焦点距離撮影距離R=300mmにおける諸収差図を示す。図３５は本第５実施例にかかる広角ズームレンズの望遠端撮影距離R=300mmにおける諸収差図を示す。
【００８２】
各収差図から、本第５実施例の広角ズームレンズは、諸収差が良好に補正され、優れた結像性能を有していることが明らかである。
【００８３】
（第６実施例）
図３６は、本発明の第６実施例にかかる広角ズームレンズのレンズ構成を示す。
【００８４】
図３６において、本第６実施例の広角ズームレンズは、物体側より順に、物体側に凸面を向けた負メニスカスレンズＬ１１と、両凹形状の負レンズＬ１２と、両凸形状の正レンズＬ１３とからなり負の屈折力を持つ第1レンズ群Ｇ１と、開口絞りＳと、両凸形状の正レンズＬ２１と、両凸形状の正レンズＬ２２と両凹形状の負レンズＬ２３との接合レンズと、両凸形状の正レンズＬ２４とからなり正の屈折力を持つ第２レンズ群Ｇ２と、両凸形状の正レンズＬ３１からなる正屈折力を持つ第３レンズ群Ｇ３とを有し、前記第１レンズ群Ｇ１の負メニスカスレンズＬ１１の像側面と、前記第２レンズ群Ｇ２の正レンズＬ２１の両側面を非球面で構成し、第３レンズ群Ｇ３と像面Ｉとの間に、オプチカルローパスフィルターＬＰＦと、像面Ｉに配置された撮像素子ＤのカバーガラスＣＧが配置されて構成されている。開口絞りＳは第２レンズ群Ｇ２と一体に移動する。
【００８５】
広角端状態Ｗから望遠端状態Ｔへの変倍に際し、前記第３レンズ群Ｇ３は像面Ｉに対して固定され、第１レンズ群Ｇ１と第２レンズ群Ｇ２が移動し、遠距離物体から近距離物体への合焦は前記第３レンズ群Ｇ３を物体側に移動させることによって行う。
【００８６】
この様に構成することによって、高い性能を保ちながら広角端状態Ｗにおいて画角７８度、Ｆナンバー２の広角化と大口径化を同時に達成している。
【００８７】
以下の表６に本第６実施例の広角ズームレンズの諸元の値を示す。
【００８８】
（表６）
「全体諸元」
f=4.82-13.80
Bf=0.59
FNo=2.03-3.58
2A=78.77-30.40
y=3.75
「レンズデータ」
r         d     νd      nd
1)   19.0104   1.7000  40.71 1.806100  
* 2)    5.4059   4.0000        1.000000     
3)  -14.7423   1.1000  81.61 1.497000 
4)   12.4554   0.8740        1.000000     
5)   14.8187   2.0000  32.35 1.850260  
6)  -97.2782    (D1)         1.000000     
7>    ∞       0.4000        1.000000  開口絞りＳ
* 8)    7.8398   2.8000  59.10 1.583320  
* 9)  -41.2748   0.5000        1.000000     
10)   10.7039   3.2000  50.88 1.658440  
11)  -10.3436   1.0000  32.35 1.850260  
12)    5.4652   1.0000        1.000000     
13)   11.5063   2.0000  81.61 1.497000  
14)  -17.7898    (D2)         1.000000     
15)   12.0000   2.1000  70.24 1.487490  
16) -161.0078    (D3)         1.000000     
17)    ∞       1.5600  64.20 1.516800  
18)    ∞       0.6736        1.000000     
19)    ∞       0.5000  64.20 1.516800  
20)    ∞        (Bf)         1.000000     
「非球面データ」
面   K         C 4          C 6          C 8          C10
2  0.5736  -5.62290E-05 -2.46600E-06  1.50360E-07 -3.98820E-09
8  0.2149   4.41340E-06  3.92900E-07  6.89060E-09 -1.48210E-09
9  0.5484   0.00000E+00  0.00000E+00 -4.79320E-08  0.00000E+00
「可変間隔データ」
広角端状態   中間焦点距離状態    望遠端状態  
無限遠          無限遠          無限遠  
f      4.82000         8.20000         13.80000 
D0        ∞             ∞               ∞
D1    16.37898         7.58587          2.49747 
D2     5.12924        10.34805         18.99459 
D3     1.18380         1.18380          1.18380 
Bf     0.59000         0.59000          0.59000 
広角端状態   中間焦点距離状態    望遠端状態
R=300           R=300            R=300
β     -0.01851       -0.03081         -0.05086
D0    251.3101       254.8848         251.3265
D1     16.37898        7.58587          2.49747
D2      4.90812        9.74152         17.43077
D3      1.40492        1.79033          2.74762
Bf      0.59000        0.59000          0.59000
「条件式対応値」
(1a) ν12               =  81.610
(1b) n12＋0.007×ν12   =   2.068
(2)  n11                =   1.806  
(3)  n11+0.012×ν11    =   2.295  
(4)  f2/f1              =  -1.200 
(5)  f3/f2              =   1.825 
(6)  D23W/f2            =   0.407  
(7)  ν13               =  32.350 
(8)  n13                =   1.850 
(9)  f1/r12a            =   0.712 
(10a)  ν25             =  81.610 
(10b) n25＋0.007×ν25  =   2.068
(11)  ν23              =  32.350 
(12)  n23               =   1.850 
【００８９】
図３７は本第６実施例にかかる広角ズームレンズの広角端状態における無限遠焦点距離の諸収差図を示す。図３８は本第６実施例にかかる広角ズームレンズの中間焦点距離状態における無限遠焦点距離の諸収差図を示す。図３９は本第６実施例にかかる広角ズームレンズの望遠端状態における無限遠焦点距離の諸収差図を示す。図４０は本第６実施例にかかる広角ズームレンズの広角端撮影距離R=300mmにおける諸収差図を示す。図４１は本第６実施例にかかる広角ズームレンズの中間焦点距離撮影距離R=300mmにおける諸収差図を示す。図４２は本第６実施例にかかる広角ズームレンズの望遠端撮影距離R=300mmにおける諸収差図を示す。
【００９０】
各収差図から、本第６実施例の広角ズームレンズは、諸収差が良好に補正され、優れた結像性能を有していることが明らかである。
【００９１】
（第７実施例）
図４３は、本発明の第７実施例にかかる広角ズームレンズのレンズ構成を示す。
【００９２】
図４３において、本第７実施例の広角ズームレンズは、物体側より順に、物体側に凸面を向けた負メニスカスレンズＬ１１と、両凹形状の負レンズＬ１２と、両凸形状の正レンズＬ１３とからなり負の屈折力を持つ第1レンズ群Ｇ１と、開口絞りＳと、両凸形状の正レンズＬ２１と、両凸形状の正レンズＬ２２と両凹形状の負レンズＬ２３との接合レンズと、両凸形状の正レンズＬ２４とからなり正の屈折力を持つ第２レンズ群Ｇ２と、両凸形状の正レンズＬ３１からなり正の屈折力を持つ第３レンズ群Ｇ３とを有し、第１レンズ群Ｇ１の負メニスカスレンズＬ１１の像側面と第２レンズ群Ｇ２の正レンズＬ２１の両側面を非球面で構成し、第３レンズ群Ｇ３と像面Ｉとの間に、オプチカルローパスフィルターＬＰＦと、像面Ｉに配置された撮像素子ＤのカバーガラスＣＧが配置されて構成されている。開口絞りＳは第２レンズ群Ｇ２と一体に移動する。
【００９３】
広角端状態Ｗから望遠端状態Ｔへの変倍に際し、前記第３レンズ群Ｇ３は像面Ｉに対して固定され、第１レンズ群Ｇ１と第２レンズ群Ｇ２が移動し、遠距離物体から近距離物体への合焦は前記第３レンズ群Ｇ３を物体側に移動させることによって行う。
【００９４】
この様に構成することによって、高い性能を保ちながら広角端状態Ｗにおいて画角７８度、Ｆナンバー２の広角化と大口径化を同時に達成している。
【００９５】
以下の表７に本第７実施例の広角ズームレンズの諸元の値を示す。
【００９６】
（表７）
「全体諸元」
f=4.82-13.80
Bf=0.59
FNo=2.06-3.67
2A=78.46-30.38
y=3.75
「レンズデータ」
r         d     νd      nd
1)   19.6939   1.7000  40.71 1.806100  
* 2)    4.9596   4.4000        1.000000     
3)  -11.1711   1.1000  81.61 1.497000  
4)   85.2333   0.4000        1.000000     
5)   22.5694   2.0000  28.55 1.795040  
6)  -40.6177    (D1)         1.000000     
7>    ∞       0.4000        1.000000  開口絞りＳ   
* 8)    7.3329   2.8000  59.10 1.583320  
* 9)  -30.8245   0.5000        1.000000     
10)   12.5402   3.2000  50.88 1.658440  
11)   -9.7058   1.0000  32.35 1.850260  
12)    5.2879   1.0000        1.000000     
13)   10.2204   2.0000  81.61 1.497000  
14)  -21.6971    (D2)         1.000000     
15)   12.0000   2.1000  70.24 1.487490  
16) -161.0078    (D3)         1.000000     
17)    ∞       1.5600  64.20 1.516800  
18)    ∞       0.6736        1.000000     
19)    ∞       0.5000  64.20 1.516800  
20)    ∞        (Bf)         1.000000     
「非球面データ」
面   K         C 4          C 6          C 8          C10
2  0.5938  -1.53120E-04 -2.21640E-06  1.12180E-07 -6.37070E-09
8  0.1952  -7.25910E-07  3.13990E-07 -1.43530E-08 -2.73140E-09
9 -5.4842   0.00000E+00  0.00000E+00 -1.14450E-07  0.00000E+00
「可変間隔データ」
広角端状態    中間焦点距離状態    望遠端状態  
無限遠           無限遠           無限遠  
f       4.82000          8.20000          13.80000 
D0        ∞               ∞               ∞
D1     16.39079          7.59768           2.50928 
D2      4.88456         10.10337          18.74991 
D3      1.18380          1.18380           1.18380 
Bf      0.59000          0.59000           0.59000 
広角端状態    中間焦点距離状態    望遠端状態  
R=300             R=300           R=300
β     -0.01851          -0.03081        -0.05088
D0    251.6170          255.1917        251.6334
D1     16.39079           7.59768         2.50928
D2      4.66338           9.49667        17.18567
D3      1.40498           1.79050         2.74804
Bf      0.59000           0.59000         0.59000
「条件式対応値」
(1a) ν12               =  81.610
(1b) n12＋0.007×ν12   =   2.068
(2)  n11                =   1.806  
(3)  n11+0.012×ν11    =   2.295  
(4)  f2/f1              =  -1.200 
(5)  f3/f2              =   1.825 
(6)  D23W/f2            =   0.388  
(7)  ν13               =  28.550 
(8)  n13                =   1.795 
(9)  f1/r12a            =   0.940 
(10a)  ν25             =  81.610 
(10b) n25＋0.007×ν25  =   2.068
(11)  ν23              =  32.350 
(12)  n23               =   1.850 
【００９７】
図４４は本第７実施例にかかる広角ズームレンズの広角端状態における無限遠焦点距離の諸収差図を示す。図４５は本第７実施例にかかる広角ズームレンズの中間焦点距離状態における無限遠焦点距離の諸収差図を示す。図４６は本第７実施例にかかる広角ズームレンズの望遠端状態における無限遠焦点距離の諸収差図を示す。図４７は本第７実施例にかかる広角ズームレンズの広角端撮影距離R=300mmにおける諸収差図を示す。図４８は本第７実施例にかかる広角ズームレンズの中間焦点距離撮影距離R=300mmにおける諸収差図を示す。図４９は本第７実施例にかかる広角ズームレンズの望遠端撮影距離R=300mmにおける諸収差図を示す。
【００９８】
各収差図から、本第７実施例の広角ズームレンズは、諸収差が良好に補正され、優れた結像性能を有していることが明らかである。
【００９９】
（第８実施例）
図５０は、本発明の第８実施例にかかる広角ズームレンズのレンズ構成を示す。
【０１００】
図５０において、本第８実施例の広角ズームレンズは、物体側より順に、物体側に凸面を向けた負メニスカスレンズＬ１１と、両凹形状の負レンズのＬ１２と、物体側に凸面を向けた正メニスカスレンズＬ１３からなり負の屈折力を持つ第1レンズ群Ｇ１と、開口絞りＳと、両凸形状の正レンズＬ２１と、両凸形状の正レンズＬ２２と両凹形状の負レンズＬ２３との接合レンズと、物体側に凹面を向けた正メニスカスレンズＬ２４とからなり正の屈折力を持つ第２レンズ群Ｇ２と、両凸形状の正レンズＬ３１と物体側に凹面を向けた負メニスカスレンズＬ３２の接合レンズからなり正の屈折力を持つ第３レンズ群Ｇ３とを有し、第１レンズ群Ｇ１の負メニスカスレンズＬ１１の像側面と、第２レンズ群Ｇ２の両凸形状の正レンズＬ２１の両側面と、第３レンズ群Ｇ３の両凸形状の正レンズＬ３１の物体側面を非球面で構成し、第３レンズ群Ｇ３と像面Ｉとの間に、オプチカルローパスフィルターＬＰＦと、像面Ｉに配置された撮像素子ＤのカバーガラスＣＧが配置されて構成されてる。
【０１０１】
広角端状態Ｗから望遠端状態Ｔへの変倍に際し、第３レンズ群Ｇ３は像面Ｉに対して固定され、第１レンズ群Ｇ１と第２レンズ群Ｇ２が移動し、遠距離物体から近距離物体への合焦は第３レンズ群Ｇ３を物体側に移動させることによって行う。
【０１０２】
この様に構成することによって、高い性能を保ちながら広角端状態Ｗにおいて画角７８度を超える広角化を達成している。
【０１０３】
以下の表８に本第８実施例の広角ズームレンズの諸元の値を示す。
【０１０４】
（表８）
「全体諸元」
f=6.28-12.4
Bf=0.99
FNo=2.04-2.89
2A=86.33-50.65
y=5.70
「レンズデータ」
r         d     νd      nd
1)   21.0338   1.5000  45.53 1.754000  L11
*2)    5.9416   5.2000        1.000000     
3)  -28.1184   1.0000  81.61 1.497000  
4)   22.1020   0.8000        1.000000     
5)   17.1037   2.3000  32.35 1.850260  
6)  253.0880    (D1)         1.000000     
7>    ∞       0.5000        1.000000  開口絞りＳ   
*8)    8.9736   3.0000  59.10 1.583320  
*9)  -19.9349   0.5000        1.000000     
10)   21.6625   3.2063  65.47 1.603000 
11)  -55.7030   0.8000  28.55 1.795040 
12)    7.3512   1.0000        1.000000     
13)  -34.8392   2.1000  81.61 1.497000 
14)   -8.9814    (D2)         1.000000     
*15)   17.9579   3.5000  59.10 1.583320 
16)  -27.1609   1.0000  22.76 1.808090 
17)  -86.6139    (D3)         1.000000     
18)    ∞       1.7200  64.20 1.516800 
19)    ∞       0.7071        1.000000     
20)    ∞       0.5000  64.20 1.516800 
21)    ∞        (Bf)         1.000000     
「非球面データ」
面     K         C 4          C 6          C 8          C10
2   0.5536  -2.18410E-05 -1.95960E-07  1.22630E-08 -4.59840E-10
8   0.6024  -1.24750E-04  1.00080E-07  0.00000E+00  0.00000E+00
9 -10.3826   1.86130E-05  7.55990E-07  0.00000E+00  0.00000E+00
15   2.7379   0.00000E+00  0.00000E+00  0.00000E+00  0.00000E+00
「可変間隔データ」
広角端状態    中間焦点距離状態    望遠端状態
無限遠          無限遠            無限遠
ｆ     6.28000          8.20000          12.40000
D0       ∞               ∞               ∞
D1    14.15840          8.64853           2.54436
D2     3.87203          6.60367          12.57914
D3     2.43436          2.43436           2.43436
Bf     0.99000          0.99000           0.99000
広角端状態    中間焦点距離状態    望遠端状態
R=500           R=500            R=500
β     -0.01369        -0.01777         -0.02672
D0    449.2115        451.9900         452.1188
D1     14.15840         8.64853          2.54436
D2      3.69081         6.29856         11.89831
D3      2.61558         2.73947          3.11519
Bf      0.99000         0.99000          0.99000
「条件式対応値」
(1a) ν12               =  81.610
(1b) n12＋0.007×ν12   =   2.068
(2)  n11                =   1.754  
(3)  n11+0.012×ν11    =   2.300  
(4)  f2/f1              =  -1.000 
(5)  f3/f2              =   2.069 
(6)  D23W/f2            =   0.267  
(7)  ν13               =  32.350 
(8)  n13                =   1.850 
(9)  f1/r12a            =   0.516 
(10a)  ν25             =  81.610 
(10b) n25＋0.007×ν25  =   2.068
(11)  ν23              =  28.550 
(12)  n23               =   1.795 
【０１０５】
図５１は本第８実施例にかかる広角ズームレンズの広角端状態における無限遠焦点距離の諸収差図を示す。図５２は本第８実施例にかかる広角ズームレンズの中間焦点距離状態における無限遠焦点距離の諸収差図を示す。図５３は本第８実施例にかかる広角ズームレンズの望遠端状態における無限遠焦点距離の諸収差図を示す。図５４は本第８実施例にかかる広角ズームレンズの広角端撮影距離R=500mmにおける諸収差図を示す。図５５は本第８実施例にかかる広角ズームレンズの中間焦点距離撮影距離R=500mmにおける諸収差図を示す。図５６は本第８実施例にかかる広角ズームレンズの望遠端撮影距離R=500mmにおける諸収差図を示す。
【０１０６】
各収差図から、本第８実施例の広角ズームレンズは、諸収差が良好に補正され、優れた結像性能を有していることが明らかである。
【０１０７】
（第９実施例）
図５７は、本発明の第９実施例にかかる広角ズームレンズのレンズ構成を示す。
【０１０８】
図５７において、本第９実施例の広角ズームレンズは、物体側より順に、物体側に凸面を向けた負メニスカスレンズＬ１１と、両凹形状の負レンズＬ１２と、物体側に凸面を向けた正メニスカスレンズＬ１３からなり負の屈折力を持つ第１レンズ群Ｇ１と、フレアストッパーＦＳと、開口絞りＳと、両凸形状の正レンズＬ２１と、両凸形状の正レンズＬ２２と両凹形状の負レンズＬ２３との接合レンズと、両凸形状の正レンズＬ２４とからなり正の屈折力を持つ第２レンズ群Ｇ２と、両凸形状の正レンズＬ３１と両凹形状の負レンズＬ３２との接合レンズからなり正の屈折力を持つ第３レンズ群Ｇ３とを有し、第１レンズ群Ｇ１の負メニスカスレンズＬ１１の像側面と、第２レンズ群Ｇ２の両凸形状の正レンズＬ２１の物体側面と、第３レンズ群Ｇ３の両凸形状の正レンズＬ３１の物体側面を非球面で構成し、第３レンズ群Ｇ３と像面Ｉとの間には、プチカルローパスフィルターＬＰＦと、像面Ｉに配置された撮像素子ＤのカバーガラスＣＧが配置されて構成されている。
【０１０９】
広角端状態Ｗから望遠端状態Ｔへの変倍に際し、第３レンズ群Ｇ３は像面Ｉに対して固定され、第１レンズ群Ｇ１と第２レンズ群Ｇ２が移動し、遠距離物体から近距離物体への合焦は第３レンズＧ３を物体側に移動させることによって行う。
【０１１０】
この様に構成することによって、高い性能を保ちながら広角端状態Ｗにおいて画角７８度を超える広角化を達成している。
【０１１１】
以下の表９に本第９実施例の広角ズームレンズの諸元の値を示す。
【０１１２】
（表９）
「全体諸元」
f=6.28-21.0
Bf=0.99
FNo=2.68-5.15
2A=87.30-30.34
y=5.70
「レンズデータ」
r         d     νd      nd
1)   33.2600   2.2000  45.53 1.754000  
*2)    8.2752   6.4000        1.000000     
3)  -36.5301   1.3000  81.61 1.497000  
4)   16.3217   2.2000        1.000000     
5)   21.4070   2.7000  32.35 1.850260  
6)  372.1116    (D1)         1.000000     
7)    ∞        (D2)         1.000000  フレアストッパーＦＳ   
8>    ∞       0.5000        1.000000  開口絞りＳ   
*9)   11.0529   2.6000  59.10 1.583320  
10)  -63.4954   0.6000        1.000000     
11)   18.0254   5.1998  40.11 1.762000  
12)  -46.1146   0.9000  28.27 2.003300  
13)    8.6064   0.9000        1.000000     
14)   29.3683   2.2000  81.61 1.497000  
15)  -17.4089    (D3)         1.000000     
*16)   15.4428   3.9000  57.44 1.606020  
17)  -51.2130   1.0000  23.78 1.846660  
18)  452.1588    (D4)         1.000000
19)    ∞       1.7200  64.20 1.516800  
20)    ∞       0.7640        1.000000
21)    ∞       0.5000  64.20 1.516800  
22)    ∞        (Bf)         1.000000
「非球面データ」
面    K         C 4          C 6          C 8          C10
2  0.3333   1.41260E-05  2.17950E-07  5.15730E-11  1.61800E-12
9 -0.0149   1.69550E-06 -7.17640E-08  3.04410E-09 -4.19770E-11
16  1.2219  -4.70030E-06 -1.53280E-07  1.02090E-08 -9.81410E-11
「可変間隔データ」
広角端状態    中間焦点距離状態    望遠端状態
無限遠           無限遠           無限遠 
ｆ     6.28000          11.50000         21.00000 
D0       ∞               ∞               ∞ 
D1    15.89963           0.34444         0.30000 
D2    11.03712          11.03712         2.61574  
D3     8.57560          17.05747        32.49381 
D4     1.22320           1.22320         1.22320
Bf     0.99000           0.99000         0.99000
広角端状態    中間焦点距離状態    望遠端状態
R=500             R=500           R=500
β    -0.01426          -0.02553         -0.04569
D0   427.4061          434.4797         427.5089
D1    15.89963           0.34444          0.30000
D2    11.03712          11.03712          2.61574
D3     8.38085          16.43321         30.58245
D4     1.41795           1.84746          3.13456
Bf     0.99000           0.99000          0.99000
「条件式対応値」
(1a) ν12               =  81.610
(1b) n12＋0.007×ν12   =   2.068
(2)  n11                =   1.754  
(3)  n11+0.012×ν11    =   2.300  
(4)  f2/f1              =  -1.199 
(5)  f3/f2              =   1.604 
(6)  D23W/f2            =   0.459  
(7)  ν13               =  32.350 
(8)  n13                =   1.850 
(9)  f1/r12a            =   0.427 
(10a)  ν25             =  81.610 
(10b) n25＋0.007×ν25  =   2.068
(11)  ν23              =  28.270 
(12)  n23               =   2.003 
【０１１３】
図５８は本第９実施例にかかる広角ズームレンズの広角端状態における無限遠焦点距離の諸収差図を示す。図５９は本第９実施例にかかる広角ズームレンズの中間焦点距離状態における無限遠焦点距離の諸収差図を示す。図６０は本第９実施例にかかる広角ズームレンズの望遠端状態における無限遠焦点距離の諸収差図を示す。図６１は本第９実施例にかかる広角ズームレンズの広角端撮影距離R=500mmにおける諸収差図を示す。図６２は本第９実施例にかかる広角ズームレンズの中間焦点距離撮影距離R=500mmにおける諸収差図を示す。図６３は本第９実施例にかかる広角ズームレンズの望遠端撮影距離R=500mmにおける諸収差図を示す。
【０１１４】
各収差図から、本第９実施例の広角ズームレンズは、諸収差が良好に補正され、優れた結像性能を有していることが明らかである。
【０１１５】
なお、本発明の実施例として、３群構成のレンズ系を示したが、該３群に付加レンズ群を加えただけのレンズ系も本発明の効果を内在した同等のレンズ系であることは言うまでもない。また、各レンズ群内の構成においても、実施例の構成に付加レンズを加えただけのレンズ群も本発明の効果を内在した同等のレンズ群であることは言うまでもない。
【０１１６】
なお、上述の実施の形態は例に過ぎず、上述の構成や形状に限定されるものではなく、本発明の範囲内において適宜修正、変更が可能である。
【図面の簡単な説明】
【０１１７】
【図１】本発明の第１実施例にかかる広角ズームレンズのレンズ構成を示す。
【図２】本第１実施例にかかる広角ズームレンズの広角端状態における無限遠焦点距離の諸収差図を示す。
【図３】本第１実施例にかかる広角ズームレンズの中間焦点距離状態における無限遠焦点距離の諸収差図を示す。
【図４】本第1実施例にかかる広角ズームレンズの望遠端状態における無限遠焦点距離の諸収差図を示す。
【図５】本第1実施例にかかる広角ズームレンズの広角端撮影距離R=500mmにおける諸収差図を示す。
【図６】本第1実施例にかかる広角ズームレンズの中間焦点距離撮影距離R=500mmにおける諸収差図を示す。
【図７】本第1実施例にかかる広角ズームレンズの望遠端撮影距離R=500mmにおける諸収差図を示す。
【図８】本発明の第２実施例にかかる広角ズームレンズのレンズ構成を示す。
【図９】本第２実施例にかかる広角ズームレンズの広角端状態における無限遠焦点距離の諸収差図を示す。
【図１０】本第２実施例にかかる広角ズームレンズの中間焦点距離状態における無限遠焦点距離の諸収差図を示す。
【図１１】本第２実施例にかかる広角ズームレンズの望遠端状態における無限遠焦点距離の諸収差図を示す。
【図１２】本第２実施例にかかる広角ズームレンズの広角端撮影距離R=500mmにおける諸収差図を示す。
【図１３】本第２実施例にかかる広角ズームレンズの中間焦点距離撮影距離R=500mmにおける諸収差図を示す。
【図１４】本第２実施例にかかる広角ズームレンズの望遠端撮影距離R=500mmにおける諸収差図を示す。
【図１５】本発明の第３実施例にかかる広角ズームレンズのレンズ構成を示す。
【図１６】本第３実施例にかかる広角ズームレンズの広角端状態における無限遠焦点距離の諸収差図を示す。
【図１７】本第３実施例にかかる広角ズームレンズの中間焦点距離状態における無限遠焦点距離の諸収差図を示す。
【図１８】本第３実施例にかかる広角ズームレンズの望遠端状態における無限遠焦点距離の諸収差図を示す。
【図１９】本第３実施例にかかる広角ズームレンズの広角端撮影距離R=500mmにおける諸収差図を示す。
【図２０】本第３実施例にかかる広角ズームレンズの中間焦点距離撮影距離R=500mmにおける諸収差図を示す。
【図２１】本第３実施例にかかる広角ズームレンズの望遠端撮影距離R=500mmにおける諸収差図を示す。
【図２２】本発明の第４実施例にかかる広角ズームレンズのレンズ構成を示す。
【図２３】本第４実施例にかかる広角ズームレンズの広角端状態における無限遠焦点距離の諸収差図を示す。
【図２４】本第４実施例にかかる広角ズームレンズの中間焦点距離状態における無限遠焦点距離の諸収差図を示す。
【図２５】本第４実施例にかかる広角ズームレンズの望遠端状態における無限遠焦点距離の諸収差図を示す。
【図２６】本第４実施例にかかる広角ズームレンズの広角端撮影距離R=300mmにおける諸収差図を示す。
【図２７】本第４実施例にかかる広角ズームレンズの中間焦点距離撮影距離R=300mmにおける諸収差図を示す。
【図２８】本第４実施例にかかる広角ズームレンズの望遠端撮影距離R=300mmにおける諸収差図を示す。
【図２９】本発明の第５実施例にかかる広角ズームレンズのレンズ構成を示す。
【図３０】本第５実施例にかかる広角ズームレンズの広角端状態における無限遠焦点距離の諸収差図を示す。
【図３１】本第５実施例にかかる広角ズームレンズの中間焦点距離状態における無限遠焦点距離の諸収差図を示す。
【図３２】本第５実施例にかかる広角ズームレンズの望遠端状態における無限遠焦点距離の諸収差図を示す。
【図３３】本第５実施例にかかる広角ズームレンズの広角端撮影距離R=300mmにおける諸収差図を示す。
【図３４】本第５実施例にかかる広角ズームレンズの中間焦点距離撮影距離R=300mmにおける諸収差図を示す。
【図３５】本第５実施例にかかる広角ズームレンズの望遠端撮影距離R=300mmにおける諸収差図を示す。
【図３６】本発明の第６実施例にかかる広角ズームレンズのレンズ構成を示す。
【図３７】本第６実施例にかかる広角ズームレンズの広角端状態における無限遠焦点距離の諸収差図を示す。
【図３８】本第６実施例にかかる広角ズームレンズの中間焦点距離状態における無限遠焦点距離の諸収差図を示す。
【図３９】本第６実施例にかかる広角ズームレンズの望遠端状態における無限遠焦点距離の諸収差図を示す。
【図４０】本第６実施例にかかる広角ズームレンズの広角端撮影距離R=300mmにおける諸収差図を示す。
【図４１】本第６実施例にかかる広角ズームレンズの中間焦点距離撮影距離R=300mmにおける諸収差図を示す。
【図４２】本第６実施例にかかる広角ズームレンズの望遠端撮影距離R=300mmにおける諸収差図を示す。
【図４３】本発明の第７実施例にかかる広角ズームレンズのレンズ構成を示す。
【図４４】本第７実施例にかかる広角ズームレンズの広角端状態における無限遠焦点距離の諸収差図を示す。
【図４５】本第７実施例にかかる広角ズームレンズの中間焦点距離状態における無限遠焦点距離の諸収差図を示す。
【図４６】本第７実施例にかかる広角ズームレンズの望遠端状態における無限遠焦点距離の諸収差図を示す。
【図４７】本第７実施例にかかる広角ズームレンズの広角端撮影距離R=300mmにおける諸収差図を示す。
【図４８】本第７実施例にかかる広角ズームレンズの中間焦点距離撮影距離R=300mmにおける諸収差図を示す。
【図４９】本第７実施例にかかる広角ズームレンズの望遠端撮影距離R=300mmにおける諸収差図を示す。
【図５０】本発明の第８実施例にかかる広角ズームレンズのレンズ構成を示す。
【図５１】本第８実施例にかかる広角ズームレンズの広角端状態における無限遠焦点距離の諸収差図を示す。
【図５２】本第８実施例にかかる広角ズームレンズの中間焦点距離状態における無限遠焦点距離の諸収差図を示す。
【図５３】本第８実施例にかかる広角ズームレンズの望遠端状態における無限遠焦点距離の諸収差図を示す。
【図５４】本第８実施例にかかる広角ズームレンズの広角端撮影距離R=500mmにおける諸収差図を示す。
【図５５】本第８実施例にかかる広角ズームレンズの中間焦点距離撮影距離R=500mmにおける諸収差図を示す。
【図５６】本第８実施例にかかる広角ズームレンズの望遠端撮影距離R=500mmにおける諸収差図を示す。
【図５７】本発明の第９実施例にかかる広角ズームレンズのレンズ構成を示す。
【図５８】本第９実施例にかかる広角ズームレンズの広角端状態における無限遠焦点距離の諸収差図を示す。
【図５９】本第９実施例にかかる広角ズームレンズの中間焦点距離状態における無限遠焦点距離の諸収差図を示す。
【図６０】本第９実施例にかかる広角ズームレンズの望遠端状態における無限遠焦点距離の諸収差図を示す。
【図６１】本第９実施例にかかる広角ズームレンズの広角端撮影距離R=500mmにおける諸収差図を示す。
【図６２】本第９実施例にかかる広角ズームレンズの中間焦点距離撮影距離R=500mmにおける諸収差図を示す。
【図６３】本第９実施例にかかる広角ズームレンズの望遠端撮影距離R=500mmにおける諸収差図を示す。
【符号の説明】
【０１１８】
Ｇ１      第１レンズ群
Ｇ２      第２レンズ群
Ｇ３      第３レンズ群
ＦＳ      フレアストッパー
Ｓ        開口絞り
ＬＰＦ    オプチカルローパスフィルター
ＣＧ      カバーガラス
Ｄ        撮像素子
Ｉ        像面
【図１】
2006113554.tif 000003
【図２】
2006113554.tif 000004
【図３】
2006113554.tif 000005
【図４】
2006113554.tif 000006
【図５】
2006113554.tif 000007
【図６】
2006113554.tif 000008
【図７】
2006113554.tif 000009
【図８】
2006113554.tif 000010
【図９】
2006113554.tif 000011
【図１０】
2006113554.tif 000012
【図１１】
2006113554.tif 000013
【図１２】
2006113554.tif 000014
【図１３】
2006113554.tif 000015
【図１４】
2006113554.tif 000016
【図１５】
2006113554.tif 000017
【図１６】
2006113554.tif 000018
【図１７】
2006113554.tif 000019
【図１８】
2006113554.tif 000020
【図１９】
2006113554.tif 000021
【図２０】
2006113554.tif 000022
【図２１】
2006113554.tif 000023
【図２２】
2006113554.tif 000024
【図２３】
2006113554.tif 000025
【図２４】
2006113554.tif 000026
【図２５】
2006113554.tif 000027
【図２６】
2006113554.tif 000028
【図２７】
2006113554.tif 000029
【図２８】
2006113554.tif 000030
【図２９】
2006113554.tif 000031
【図３０】
2006113554.tif 000032
【図３１】
2006113554.tif 000033
【図３２】
2006113554.tif 000034
【図３３】
2006113554.tif 000035
【図３４】
2006113554.tif 000036
【図３５】
2006113554.tif 000037
【図３６】
2006113554.tif 000038
【図３７】
2006113554.tif 000039
【図３８】
2006113554.tif 000040
【図３９】
2006113554.tif 000041
【図４０】
2006113554.tif 000042
【図４１】
2006113554.tif 000043
【図４２】
2006113554.tif 000044
【図４３】
2006113554.tif 000045
【図４４】
2006113554.tif 000046
【図４５】
2006113554.tif 000047
【図４６】
2006113554.tif 000048
【図４７】
2006113554.tif 000049
【図４８】
2006113554.tif 000050
【図４９】
2006113554.tif 000051
【図５０】
2006113554.tif 000052
【図５１】
2006113554.tif 000053
【図５２】
2006113554.tif 000054
【図５３】
2006113554.tif 000055
【図５４】
2006113554.tif 000056
【図５５】
2006113554.tif 000057
【図５６】
2006113554.tif 000058
【図５７】
2006113554.tif 000059
【図５８】
2006113554.tif 000060
【図５９】
2006113554.tif 000061
【図６０】
2006113554.tif 000062
【図６１】
2006113554.tif 000063
【図６２】
2006113554.tif 000064
【図６３】
2006113554.tif 000065